(57)【要約】      （修正有）【課題】デザイン性を損なわず、着用時のずり落ちを効果的に防止するフットカバーを提供する。【解決手段】履口部と、爪先部と踵部と甲部と底部とを有する足部とからなるフットカバーであって、踵部が半回転編成による詰まったループ編み目からなる。ループ編み目は、自動丸編機のニードルシリンダを半回転状態にして、半円周の長さの編成位置にあるニッティングバット短針を一往復毎に両端から１本ずつ順次不動作の位置に針上げして、ループを詰めながら形成される。【選択図】図１
0003216350.tif 000002
【実用新案登録請求の範囲】
【請求項１】
自動丸編機のニードルシリンダを半回転状態にして、半円周の長さの編成位置にあるニッティングバット短針を一往復毎に両端から１本ずつ順次不動作の位置に針上げして、ループを詰めながら形成した踵部を備えるフットカバー。
【請求項２】
前記踵部は、補強糸が部分的に追加編成されていることを特徴とする請求項１に記載のフットカバー。
【考案の詳細な説明】
【技術分野】
【０００１】
本考案は、スニーカー等を履くときに着用し、靴の内側に隠れて外から見えない、フットカバーと呼ばれる靴下に関する。
【背景技術】
【０００２】
従来、足首から上の部分がなく、足首と少なくとも足甲の一部が露出するように履き口が大きく開いた靴下で、着用時に靴を履いても靴の内側に隠れて外からは見えないフットカバーが利用されている。このようなフットカバーは履き口が大きく開いているため、歩行中にフットカバーがずれたり、踵の部分から脱げてしまったりする問題がある。
【０００３】
上述した製品を改良するものとして、種々の発明や考案が提案されている。特許文献１は、靴下の穿き口部内側にシリコンラバーが微粒子状に吹き付けられて編み糸上に固着されてずり落ちを防止し、必要により靴下の足底部外側及び又は内側の指のつけ根部分及び踵部分の編み糸にもシリコンラバーが微粒子状に吹き付け固着され、ハイヒール靴の中で靴下が滑り動いたり、靴下の中で足底自体が滑り動いたりしない靴下を提案している。特許文献２は、フットカバーの踵当接部内面にゴム材等からなる突起状弾性体を取付け、突起状弾性体が滑り止めの役割をして、フットカバーを脱げ難くすることが開示されている。特許文献３は、履き口である開口部内面の全周に帯状平ゴムを接着するとともに、フットカバーの後部内面と前部外面に伸縮性および粘着性を有するシリコーンゲルにより形成された滑り止めを設けることが開示されている。
【先行技術文献】
【特許文献】
【０００４】
【特許文献１】特開２００２−１４６６０１号公報
【特許文献２】特開平１０−２９２２０６号公報
【特許文献３】特開２０１３−７６２０５号公報
【考案の概要】
【考案が解決しようとする課題】
【０００５】
ところが、特許文献１ないし３に係る靴下の構成では、着用時にフットカバーが脱げるのを防止するために、フットカバー本体とは別の部材をフットカバー本体に取付けることが必要である。すなわち、特許文献１の靴下では、シリコンラバー粒子を、特許文献２のフットカバーではゴム材等からなる突起状弾性体を、特許文献３のフットカバーでは、開口部内面の全周に帯状平ゴムを接着するとともに、伸縮性および粘着性を有するシリコーンゲルにより形成された滑り止めをフットカバー本体に取付けることが必要である。
このようにフットカバー本体を製造した後に、フットカバー本体とは別の部材をフットカバー本体に取り付けることは、フットカバーの製造工程が１工程増え、製造コスト増となる。また、フットカバー本体に別の部材を取り付ければ、フットカバーのデザイン性が損なわれるばかりでなく、洗濯を繰り返すうちに当該別部材が剥離する可能性もある。
【０００６】
本考案は、このような問題に鑑み、デザイン性を損なわず、着用時のずり落ちを効果的に防止するフットカバーを提供することを目的とする。
【課題を解決するための手段】
【０００７】
上記問題を解決するために、本考案のフットカバーは、自動丸編機のニードルシリンダを半回転状態にして、半円周の長さの編成位置にあるニッティングバット短針を一往復毎に両端から１本ずつ順次不動作の位置に針上げして、ループを詰めながら形成した踵部を備えることを特徴とする。
【０００８】
踵部は、補強糸が部分的に追加編成されていると好適である。
【考案の効果】
【０００９】
本考案に係るフットカバーは、履口部から踵部に至る領域を半回転編成することで踵部の繊維の伸びを抑制するので、快適な着用感のもとでずり落ちを効果的に防止することができる。
【図面の簡単な説明】
【００１０】
【図１】本考案に係るフットカバーの非着用状態における全体図である。
【考案を実施するための形態】
【００１１】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１２】
実施例１を図面を参照して詳細に説明する。
【００１３】
まず、フットカバー１の全体構成を説明する。図１は、本発明に係るフットカバーの非着用状態における全体図である。図１に示すとおり、フットカバー１は、大別すると、履口部１０と、爪先部２１と踵部２２と甲部２３と底部２４とを有する足部２０が設けられており、履口部１０の上方に開口１００が形成されている。フットカバー１は、綿、ナイロン糸等の繊維を公知の方法で編成することができる。
【００１４】
フットカバー１は、自動丸編機を使用して、ニードルシリンダの半回転動作で踵部２２を編成し、次いで甲部２３と底部２４とを筒編に編成し、最後に爪先部２１を編成する。
このうち、踵部２２は、自動丸編機のニードルシリンダを半回転状態にして、半円周の長さの編成位置にあるニッティングバット短針を一往復毎に両端から１本ずつ順次不動作の位置に針上げして、編幅を狭めて編成してループを詰めて形成するとよい。このようにループを詰めながら、半回転編成することで、編み目ループの拡大を防止し、結果としてフットカバー１が踵部２２をしっかり保持することができる。なお、踵部２２と、甲部２３及び底部２４との境目にはゴアライン（破線部）が設けられている。
【００１５】
さらに、踵部２２に綿糸やナイロン糸の補強糸を部分的に追加編成すると、より踵部２２のループが絞まり、踵をより強力に保持することが可能になる。
【００１６】
以上、本考案に係る靴下における好ましい実施形態を図示して説明してきたが、本考案の技術的範囲を逸脱することなく種々の変更が可能であることは理解されるであろう。
【産業上の利用可能性】
【００１７】
本考案に係るフットカバーは、例えば、スニーカー、パンプス、ローファーシューズ等の靴を履くときの、スポーツ用又はカジュアル用の靴下として広く利用することができる。
【符号の説明】
【００１８】
１  フットカバー
１０  履口部
１００  開口部
２０  足部
２１  爪先部
２２  踵部
２３  甲部
２４  底部
２００  ゴアライン
【図１】
0003216350.tif 000003
【手続補正書】
【提出日】平成30年3月22日(2018.3.22)
【手続補正１】
【補正対象書類名】実用新案登録請求の範囲
【補正対象項目名】全文
【補正方法】変更
【補正の内容】
【実用新案登録請求の範囲】
【請求項１】
履口部と、爪先部と踵部と甲部と底部とを有する足部とからなるフットカバーであって、前記踵部が半回転編成による詰まったループ編み目からなることを特徴とするフットカバー。
【請求項２】
前記踵部は、補強糸が部分的に追加編成されていることを特徴とする請求項１に記載のフットカバー。